(57)【要約】【課題】建築物の壁面に沿って設置され、形成が容易な物品を収容するための収納棚を提供する。【解決手段】支柱２の側面の上端部に位置する挿通孔３に天板受部材１０が係止され、その天板受部材１０に天板４２が載置されている。天板受部材１０は、支柱２の側面に沿って取り付けられる縦片部６と天板４２を載置する横片部７とが形成されている。この天板受部材１０は、第１天板受係止突部１５、第２天板受係止突部１６を支持部として支柱２に取り付けられている。建築物の壁面の所定の高さにレール１８がほぼ水平に固定され、連結固定部材３１によって壁面に支柱２を固定するとともに、天板４２を天板受部材１０の横片部レール１８に嵌合して収納棚１の上部を形成する。【選択図】図１
2006345950.tif 000002
【特許請求の範囲】
【請求項１】
建築物の壁面の所定の高さに水平に固定されて天板載置部を有するレールと、
建築物の壁面から所定の距離だけ離間し、かつその壁面に沿う方向に所定の間隔をおいて配置され、高さ方向に複数段の棚板を支持するための棚板支持部と天板を支持するための天板支持部とが形成された複数の支柱と、
前記天板支持部に取り付けられ前記天板を受ける天板受部材と、
前記複数の支柱の少なくとも一つの支柱の前記天板受部材の前記壁面側の先端部に連結固定部材とを備え、
その連結固定部材により前記支柱が前記壁面に固定されるとともに、前記天板受部材の天板を載置する天板載置部と前記レールの天板載置部とが水平方向で同一レベルに設定され、前記天板が前記天板受部材の天板載置部と前記レールの天板載置部とに載置されることにより、前記天板が前記支柱と前記レールとにまたがって支持されることを特徴とする収納棚。
【請求項２】
前記レールは、前記天板の端部を水平方向から嵌合可能な嵌合溝を備え、その嵌合溝の下壁が前記レール側の天板載置部とされて、その嵌合溝の下壁と前記天板受部材の天板載置部とが水平方向において同一レベルに設定され、前記天板が前記レールの嵌合溝に嵌合されるとともに、前記天板受部材の前記天板載置部に載置されて天板の側端辺と後端辺とが支持される請求項１に記載の収納棚。
【請求項３】
前記連結固定部材は、前記天板受部材の前記壁面側の先端部に備えられ、前記建築物の前記壁面に直接固定されるための対壁面固定部を有する請求項１または２に記載の収納棚。
【請求項４】
前記連結固定部材は、前記天板受部材の前記壁面側の先端部に備えられ、壁面側端部に前記レールの長手方向に沿って挿入されて前記レールに固定される対レール固定部を有する請求項１または２に記載の収納棚。
【請求項５】
前記レールは、前記天板を水平方向から嵌合させるコ字状の嵌合溝と、その嵌合溝の溝底のさらに奥に形成されて前記連結固定部材の端部に形成された前記対レール固定部を固定させるレール側固定部とを有する請求項４に記載の収納棚。
【請求項６】
前記連結固定部材は、複数の前記支柱のうちの端に位置する前記支柱に備えられている請求項１ないし５のいずれか１項に記載の収納棚。
【請求項７】
前記天板受部材は、前記支柱の上端部に着脱可能に取り付けられた請求項１ないし６のいずれか１項に記載の収納棚。
【請求項８】
複数の支柱の隣り合うもの同士間の互いに対応する高さの前記棚板支持部間に着脱可能に支持された複数の棚板を備える請求項１ないし７のいずれか１項に記載の収納棚。
【発明の詳細な説明】
【技術分野】
【０００１】
本発明は、物を収納するクローゼットや収納ラック等の収納棚に関する。
【背景技術】
【０００２】
物品を載置したり衣類等を保管したりするために、クローゼットが建物の室内等に壁面に沿って設置され使用されている（例えば、特許文献１）。また、押し入れや収納室内に組み込まれたりして用いられるクローゼットもある。
【０００３】
このようなクローゼットとして、左右に立設する一対の側板と、この側板に水平に配置される棚部材及びハンガー掛部とを備える構造のものが知られている。また、前後左右に立設する複数の支柱に複数の横桟部材を取り付けてクローゼット用立体枠を組み立て、このクローゼット用立体枠に複数の棚部材やバスケット等の収納部材を多段状に取り付けたり、あるいはハンガー吊下げ用バーを掛け渡す構造のクローゼットもある。
【０００４】
【特許文献１】特開２００３−１４４２４７号公報
【発明の開示】
【発明が解決しようとする課題】
【０００５】
しかしながら、上記のような前後左右に立設する複数の支柱や、左右に立設する一対の側板を用いて組み立てる構造のクローゼットは、構造的に不安定であり、耐久性に乏しい。一方、タンスやロッカー、キャビネット等の収納家具は、強固に作製されており耐久性が得られるが、十分な収納スペースを得られる大きさのものは、大掛かりのものとなる。
【０００６】
本発明の課題は、建築物の壁面に沿って設置され、形成が容易な物品を収容するための収納棚を提供することにある。
【課題を解決するための手段及び発明の効果】
【０００７】
上記課題を解決するための本発明の収納棚は、
建築物の壁面の所定の高さに水平に固定されて天板載置部を有するレールと、
建築物の壁面から所定の距離だけ離間し、かつその壁面に沿う方向に所定の間隔をおいて配置され、高さ方向に複数段の棚板を支持するための棚板支持部と天板を支持するための天板支持部とが形成された複数の支柱と、
天板支持部に取り付けられ天板を受ける天板受部材と、
複数の支柱の少なくとも一つの支柱の天板受部材の壁面側の先端部に連結固定部材とを備え、
その連結固定部材により支柱が壁面に固定されるとともに、天板受部材の天板を載置する天板載置部とレールの天板載置部とが水平方向で同一レベルに設定され、天板が天板受部材の天板載置部とレールの天板載置部とに載置されることにより、天板が支柱とレールとにまたがって支持される。
【０００８】
上記構成によれば、連結固定部材を先端部に有する天板受部材を支柱の天板支持部に取り付けることができる。そして連結固定部材によって、支柱を建築物の壁面に固定することができる。さらに天板受部材の天板を載置する天板載置部とレールの天板載置部とが水平方向で同一レベルに設定されているため、天板が天板受部材の天板載置部とレールの天板載置部とに載置されることにより、天板が支柱とレールとにまたがって支持され、天板の安定性がよくなる。
【０００９】
さらにレールは、天板の端部を水平方向から嵌合可能な嵌合溝を備え、その嵌合溝の下壁がレール側の天板載置部とされて、その嵌合溝の下壁と天板受部材の天板載置部とが水平方向において同一レベルに設定され、天板がレールの嵌合溝に嵌合されるとともに、天板受部材の天板載置部に載置されて天板の側端辺と後端辺とが支持される。
【００１０】
上記構成によれば、レールに嵌合溝が備えられているため、天板が天板受部材の天板載置部に載置されるとともに端部がレールに嵌合される状態とされ、レール、天板、天板受部材、支柱が一体として固定される。したがって、上部の安定性のよい収納棚を形成することができる。
【００１１】
連結固定部材は、天板受部材の壁面側の先端部に備えられ、建築物の壁面に直接固定されるための対壁面固定部を有するように構成することができる。これにより、連結固定部材を建築物の壁面に固定することができ、支柱が壁面に対して固定される。
【００１２】
或いは、連結固定部材は、天板受部材の壁面側の先端部に備えられ、壁面側端部にレールの長手方向に沿って挿入されてレールに固定される対レール固定部を有するように構成することができる。これにより、連結固定部材をレールに固定することができ、支柱が壁面に対して固定される。
【００１３】
さらにレールは、天板を水平方向から嵌合させるコ字状の嵌合溝と、その嵌合溝の溝底のさらに奥に形成されて連結固定部材の端部に形成された対レール固定部を固定させるレール側固定部とを有するように構成することができる。これにより、対レール固定部をレール側固定部に固定して、連結固定部材をレールに固定することができる。
【００１４】
連結固定部材は、複数の支柱のうちの端に位置する支柱に備えられている。特に、収納棚の組立てにおいて、初めに立設される支柱に取り付ける天板受部材に連結固定部材を備えれば、支柱を直接または間接に壁面に容易に固定することができ、組立て作業を容易に行うことができる。
【００１５】
そして本発明の収納棚は、天板受部材が、支柱の上端部に着脱可能に取り付けられるため、組立て、解体等を容易に行うことができる。
【００１６】
さらに本発明の収納棚は、複数の支柱の隣り合うもの同士間の互いに対応する高さの棚板支持部間に着脱可能に支持された複数の棚板を備える。棚板が棚板支持部に対して着脱可能であるため、所望の位置に棚板を設置することができる。
【発明を実施するための最良の形態】
【００１７】
以下図面を参照しつつ本発明の実施の形態について説明する。
【実施例１】
【００１８】
図１に本発明の収納棚の上部主要部を示す。図１に示すように、収納棚１の支柱２は、側面の中央に、上下方向に沿って所定の間隔をあけて複数の挿通孔３が穿設され、その両側に上下方向に沿ってガイド溝８が形成されている。そして、支柱２の側面の最上部に位置する挿通孔３に天板受部材１０が係止され、その天板受部材１０に天板４２が載置される。天板受部材１０には、カバー２１が取り付けられる。この天板受部材１０は、支柱２の側面に沿って取り付けられる縦片部６と天板４２を載置する横片部７とが形成されている。つまり横片部７は、天板載置部となる。この天板受部材１０は、第１天板受係止突部１５、第２天板受係止突部１６を支持部として片持ち支持状に形成されている。
【００１９】
建築物の壁面の所定の高さにレール１８がほぼ水平に固定され、連結固定部材３１によって壁面に支柱２を固定するとともに、天板４２を天板受部材１０の横片部に載置し、レール１８に嵌合して収納棚１の上部を形成することができる。
【００２０】
このようにして形成される本発明の一実施形態としての収容棚１の斜視図を図２に示す。収納棚１は、建築物の壁面５２に沿って形成されて設置されており、複数の支柱２と、それぞれの支柱２の上方に取り付けられた天板受部材１０と、その天板受部材１０によって支柱２間に懸架された天板４２とを含む。
【００２１】
支柱２は、建築物の壁面５２から所定の距離だけ離間し、その壁面に沿う方向に所定の間隔をおいて配置されている。壁面５２の所定の高さにはレール１８が固定され、先端部に連結固定部材３１を有する天板受部材１０が支柱２に取り付けられて、その連結固定部材３１が壁面５２に固定され、支柱２の底面が床面に固定されて、壁面５２から所定の距離離れた位置に支柱２が立設されている。
【００２２】
支柱２の下端には、貫通孔が形成されたベース部材５１が備えられており、貫通孔にアンカーボルトを挿入して支柱２をアンカー止めしている。また支柱２の下端近傍にアジャスタ部４４が形成されており、アジャスタ部４４のナットを回転させることにより、支柱２の高さを調整することができる。
【００２３】
収納棚１の支柱２には、バー４６が取り付けられ、さらにそのバー４６にハンガー掛け４７が取り付けられている。
【００２４】
支柱２の挿通孔３に棚受部材５が取り付けられ、棚板４５が棚受部材５を介して支柱２間に懸架されている。つまり収納棚１には、奥行きの異なった棚受部材５ａ，５ｂが取り付けられ、奥行きの異なった棚板４５ａ，４５ｂが懸架されている。図３に収納棚１の側面図を示す。図の右側が建築物（例えば、室内）の壁面５２である。収納棚１は、壁面５２から所定の場所に支柱２が立設され、支柱２に取り付けられた連結固定部材３１の先端が壁面５２に固定されている。そして、支柱２の複数の挿通孔３の任意の挿通孔３が棚板支持部とされ、奥行きの異なった棚受部材５ａ，５ｂが支柱２に取り付けられ、棚受部材５ａ，５ｂを介して支柱２間に奥行きの異なった棚板４５ａ，４５ｂが懸架されている。つまり棚受部材５ａ，５ｂは、支柱２から壁面５２方向への寸法が一定に形成され、支柱２から壁面方向とは反対の前方方向への寸法が所望の寸法として形成されており、この棚受部材５の奥行きに相当する奥行きを有する棚板４５が懸架されている。
【００２５】
収納棚１の上部主要部について、さらに詳述する。図４，図５を用いて天板受部材１０について説明する。図４に示すように、この天板受部材１０は、支柱２の側面に沿って取り付けられる縦片部６と天板４２を載置する天板載置部とされる横片部７とが形成されている。天板受部材１０は、縦片部６の裏面側に、第１天板受係止突部１５、第２天板受係止突部１６が形成されている。第１天板受係止突部１５及び第２天板受係止突部１６によって支柱２に天板受部材１０を着脱可能に取り付けることができる。天板受部材１０の先端部には、連結固定部材３１が取り付けられている。
【００２６】
図５（ａ）に天板受部材１０の裏面の要部、図５（ｂ）に図５（ａ）のＡ−Ａ断面図を示す。天板受部材１０は、支柱２の側面に沿って取り付けられる縦片部６と縦片部からほぼ垂直に突出して天板４２を載置する横片部７とによって形成されている。そして縦片部６の裏面には、支柱２の挿通孔３に挿通され天板受部材１０が支柱２に係止されるための第１天板受係止突部１５、第２天板受係止突部１６が裏面から突出して形成されている。第１天板受係止突部１５は、先端部に突出方向垂直にフランジ部１５ａが突出形成されている。第１天板受係止突部１５の上方側には、第１挿入孔１１が形成されている。第１挿入孔１１は、固定突起挿入孔であり、カバー２１の固定突起部２８が挿入される。さらに第１天板受係止突部１５の両側には、それぞれガイド突部９が裏面から突出する形で形成されている。ガイド突部９が、支柱２のガイド溝８に挿入されることにより、天板受部材１０の横方向の傾きを防止することができる。
【００２７】
ガイド突部９に隣接して第２挿入孔１２が形成されている。第２挿入孔１２には、カバー係止突部挿入孔であり、カバー２１のカバー係止突部２４が係止される。
【００２８】
図６に支柱２の断面図を示す。支柱２は、側面に長手方向に開口４０ａが形成され、開口４０ａの内部には、側板配置部４０ｂと係止用空間形成部４０ｃとが形成されている。側板配置部４０ｂには、挿通孔３が形成された側板３９が嵌合されている。また側面の両端部には、上下方向にガイド溝８が形成されている。このガイド溝８に、天板受部材１０のガイド突部９が嵌ることにより天板受部材１０の傾きを防ぐことができる。
【００２９】
図７に支柱２に嵌合された側板３９を示す。側板３９には、円形状挿通孔３ａと、円形状挿通孔３ａに連なり、円形状挿通孔３側が幅広に、他端が幅狭に形成された長手状挿通孔３ｂとによって構成される挿通孔３が形成されている。また、側板３９には、ねじ孔５５が形成され、側板３９を支柱２の側板配置部４０ｂに配置して、ねじによって固定することができる。天板受部材５の第１天板受係止突部１５及び第２天板受係止突部１６を円形状挿通孔３ａ側から挿通させて、長手状挿通孔３ｂの幅狭に形成された方の端部へスライドさせることによって、第１天板受係止突部１５及び第２天板受係止突部１６が側板３９に係止される。
【００３０】
図８を用いて、収納棚１における天板受部材１０の取付工程について説明する。図８（ａ）に示すように支柱２（側板３９）の側面３２ｓに形成された挿通孔３に、天板受部材１０の裏面に形成された第１天板受係止突部１５、第２天板受係止突部１６を挿通する。第１天板受係止突部１５は、円形状挿通孔３ａ側から挿通され、図８（ｂ）に示すように、天板受部材１０を下方へスライドさせる。長手状挿通孔３ｂは、下方が幅が狭く形成されているため、第１天板受係止突部１５の先端部のフランジ部１５ａが側板３９によって係止される。このとき縦片部６は、側面３２ｓに密着して取り付けられる。次に、図８（ｃ）に示すように、天板受部材１０の横片部７に天板４２を載置する。
【００３１】
続いて図８（ｄ）に示すように、カバー２１のカバー係止突部２４を天板受部材１０の第２挿入孔１２に挿入して天板受部材１０に引っ掛ける形態で天板受部材１０に取り付ける。このとき天板受部材１０のガイド突部９が、支柱２のガイド溝８に嵌ることになり、天板受部材１０の横方向の傾きが押えられる。さらに、カバー２１のカバー本体部２２の裏面によって天板受部材１０が押えられ、固定突起部２８の先端は、支柱２（側板３９）の挿通孔３を形成する上側壁部３７ａの壁面３８に当接するため、天板受部材１０が外れることを防ぐことができる。
【００３２】
図４に戻って、天板受部材１０の横片部７の先端部には、支柱２が壁面部５２に直接固定されるための連結固定部材３１が備えられている。連結固定部材３１は、天板受部材１０の横片部７に取り付けられる天板受側固定部７１と、壁面５２に取り付けられる対壁面固定部７２とを有する。天板受側固定部７１の上面は、天板受部材１０の横片部７の下面に接して取り付けられている。対壁面固定部７２には、壁面５２にねじによって固定するためにねじ孔７３が形成されている。
【００３３】
図９に示すように、壁面５２には、所定の高さに、レール１８が設置されている。レール１８は、第１帯板部６１、第１帯板部６１とほぼ平行に第１帯板部６１よりも断面において長く形成された第２帯板部６２、第１帯板部６１及び第２帯板部６２とにほぼ垂直にこれらを連結する第３帯板部６３とによりコ字形状形成部６４を形成して断面コ字状に構成される。コ字形状形成部６４によって天板を嵌合する嵌合溝が形成され、第２帯板部６２は、嵌合溝の下壁である。また第２帯板部６２は、天板載置部とされる。さらにコ字形状形成部６４の内部には、長手方向に沿って第１帯板部及び第２帯板部から突出形成された突出帯部６５が形成されている。第３帯板部６３をねじ６６によって壁面５２に取り付けることにより、レール１８は、建築物の壁面５２に固定されている。
【００３４】
前述のようにして連結固定部材３１を備える天板受部材１０を支柱２に固定する。そして連結固定部材３１の対壁面固定部７２を壁面５２に沿うように配置してねじによって連結固定部材３１を壁面５２に固定する。このようにすると、図１０（ａ），図１０（ｂ）に示すように、レール１８の第２帯板部６２が天板受部材１０の横片部７と面一となる。つまり、天板受部材１０の天板載置部とレール１８の天板載置部とが水平レベルで同一に設定されている。
【００３５】
さらに図１１（ａ），図１１（ｂ）に示すように、天板４２を天板受部材１０の横片部７及びレール１８の第２帯板部６２に載置し、コ字形状形成部６４に天板４２を嵌合して、天板４２をねじによって横片部７、第２帯板部６２に固定することにより、天板４２の側端辺４２ａと後端辺４２ｂとが天板受部材１０及びレール１８にそれぞれ支持され、レール１８、天板４２及び支柱２とが互いに固定される。
【００３６】
なお図１２に示すように連結固定部材３１は、天板受部材６と壁面５２とを連結して固定すればよく、レール１８の第２帯板部６２との間に、間隙を形成していてもよい。
【００３７】
図１３に示すように、棚受部材５は、天板受部材１０と同様の構成とされ、天板受部材１０の第１天板受係止突部１５、第２天板受係止突部１６と同様の係止突部が形成され、支柱に形成された挿通孔３に、天板受部材１０と同様の方法によって取り付けられる。つまり挿通孔３は棚板支持部とされる。
【実施例２】
【００３８】
図１４に連結固定部材の実施例２について説明する。連結固定部材８１は、天板受部材１０に固定するための天板受側固定部８２、レール１８の固定部挿入空間形成部である突出帯部６５に挿入されてレールに固定するための対レール固定部８３、天板受側固定部８２と対レール固定部８３とを連結する連結部８４とにより構成される。天板受側固定部８２は、連結部８４の天板受側の下端部から突出形成されており、天板受部材１０にねじどめするためのねじ孔８５が形成されている。対レール固定部８３には、レール１８に連結固定部材８１を固定するためのねじ孔８６が形成されている。さらに連結部８４には、外側からカバー９０を取り付けるためのカバー９０のカバー突起を挿入するための挿入孔８７が形成されている。
【００３９】
前述の実施例と同様に、天板受部材１０の横片部７の先端部に、支柱２が壁面部５２に直接固定されるための連結固定部材８１を取り付ける。天板受側固定部８２の上面は、天板受部材１０の横片部７の下面に接して取り付けられる。
【００４０】
図１５に示すように、壁面５２に固定されたレール１８に連結固定部材８１の対レール固定部８３を挿入して、連結固定部材８１を介して天板受部材１０を壁面５２に固定することができる。図１６に連結固定部材８１をレール１８に挿入して固定したところを示す。レール１８の突出帯部６５によって形成される固定部挿入空間８９に対レール固定部８３が挿入され、ねじ９３によってレール１８に固定されている。したがって固定部挿入空間８９を形成する第１帯板部６１、第２帯板部６２、第３帯板部６３、突出帯部６５がレール側固定部である。
【００４１】
図１７に示すように、天板４２を天板受部材１０の横片部７及びレール１８の第２帯板部６２に載置し、コ字形状形成部６４に天板４２を嵌合して、天板４２をねじによって横片部７、第２帯板部６２に固定することにより、レール１８、天板４２及び支柱２とが互いに固定される。さらに連結固定部材８１の外側から、カバー９０の突起部９１が連結固定部材８１の挿入孔８７に挿入されるようにして、カバー９０を連結固定部材８１に取り付けることができる。
【００４２】
天板受部材１０に連結固定部材３１，８１が取り付けられる実施例を説明したが、連結固定部材が天板受部材１０に一体として形成されるようにしてもよい。
【００４３】
以上のように、本発明の収納棚は、天板が支柱の天板載置部とレールの天板載置部とにまたがって支持され、さらに天板の後端辺がレールに嵌合されるため、支柱、天板及びレールとが強固に固定され、安定性がよい。
【図面の簡単な説明】
【００４４】
【図１】収容棚の上部を示す図。
【図２】収納棚の全体図。
【図３】収納棚の側面図。
【図４】天板受部材を示す図。
【図５】天板受部材の裏面及び断面を説明する図。
【図６】支柱の断面図。
【図７】側板に形成される挿通孔を示す図。
【図８】天板受部材の取付工程を説明する図。
【図９】レールを示す図。
【図１０】連結固定部材による固定を示す図。
【図１１】連結固定部材による固定と天板設置を示す図。
【図１２】連結固定部材による固定の他の実施例を示す図。
【図１３】棚受部材による棚板の設置を示す図。
【図１４】連結固定部材の実施例２を示す図。
【図１５】実施例２の連結固定部材による固定を示す図。
【図１６】連結固定部材のレールへの固定を説明する図。
【図１７】天板設置及びカバー取り付けについて説明する図。
【符号の説明】
【００４５】
１    収納棚
２    支柱
３    挿通孔
３ａ    円形状挿通孔
３ｂ    長手状挿通孔
５    棚受部材
６    縦片部
７    横片部
８    ガイド溝
１０    天板受部材
１５    第１天板受係止突部
１６    第２天板受係止突部
１８    レール
３１    連結固定部材
４２    天板
５２    壁面
６１    第１帯板部
６２    第２帯板部
６３    第３帯板部
６４    コ字形状形成部
６５    突出帯部
７１    天板受側固定部
７２    対壁面固定部
８１    連結固定部材
８２    天板受側固定部
８３    対レール固定部
８４    連結部
８９    固定部挿入空間
【図１】
2006345950.tif 000003
【図２】
2006345950.tif 000004
【図３】
2006345950.tif 000005
【図４】
2006345950.tif 000006
【図５】
2006345950.tif 000007
【図６】
2006345950.tif 000008
【図７】
2006345950.tif 000009
【図８】
2006345950.tif 000010
【図９】
2006345950.tif 000011
【図１０】
2006345950.tif 000012
【図１１】
2006345950.tif 000013
【図１２】
2006345950.tif 000014
【図１３】
2006345950.tif 000015
【図１４】
2006345950.tif 000016
【図１５】
2006345950.tif 000017
【図１６】
2006345950.tif 000018
【図１７】
2006345950.tif 000019